(57)【要約】      （修正有）【課題】正極シートとセパレータと負極シートを積層して捲回した捲回体を有する捲回型電池であって内部抵抗を低減した捲回型電池を提供する。【解決手段】捲回型電池１００は、正極シートと負極シートとセパレータを積層して捲回した捲回体１０と、正極端子４０と負極端子５０を備える。捲回体１０は、その端部１０ａの端面で正極端子４０に溶接されているとともに、その端部１０ａの側面が正極端子４０によってかしめられている。捲回体１０の端部１０ｂと負極端子５０も同様である。これにより、正極シートと負極シートを備える捲回体１０と正極端子４０の接触面積、及び捲回体１０と負極端子５０の接触面積を大きくするとともに、捲回体１０に対して正極端子４０と負極端子５０を強く結び付けている。これにより、捲回型電池の内部抵抗を低減する。【選択図】図１
2008159530.tif 000002
【特許請求の範囲】
【請求項１】
正極シートと負極シートとセパレータを積層して捲回した捲回体と、
捲回体の一方の端部で側面と端面に接触する端子と、を備えており、
捲回体の前記側面は端子によってかしめられており、捲回体の前記端面は端子に溶接されていることを特徴とする捲回型電池。
【請求項２】
正極シートと負極シートとセパレータは巻芯に捲回されており、
正極シートと負極シートのいずれか一方の電極シートは、前記端部でセパレータと他方の電極シートより捲回体の軸方向に長く伸びている延長部を備えており、
前記延長部が、端子と巻芯の間でかしめられていることを特徴とする請求項１に記載の捲回型電池。
【請求項３】
延長部には活物質が塗布されていないことを特徴とする請求項２に記載の捲回型電池。
【請求項４】
巻芯の側面に窪みが設けられており、前記延長部が端子と窪みの間でかしめられていることを特徴とする請求項２又は３に記載の捲回型電池。
【請求項５】
電極シートの延長部に、捲回体の軸方向に伸びるスリットが設けられていることを特徴とする請求項２から４のいずれか１項に記載の捲回型電池。
【請求項６】
正極シートと負極シートの少なくとも一方の電極シートに孔が設けられていることを特徴とする請求項２から５のいずれか１項に記載の捲回型電池。
【請求項７】
巻芯の側面に孔が設けられていることを特徴とする請求項２から６のいずれか１項に記載の捲回型電池。
【発明の詳細な説明】
【技術分野】
【０００１】
本発明は、正極シートと負極シートとセパレータを積層して捲回した捲回体を有する捲回型電池に関する。本明細書にいう電池には、充電と放電を繰り返すことのできる二次電池やキャパシタが含まれる。
【背景技術】
【０００２】
捲回型電池は、捲回体の正極シートと負極シートの夫々に端子が接続されている。捲回体が電気を発生する部品（或いは蓄電する部品）である。夫々の端子は、捲回体から電気を外部へ供給するための部品である。本明細書では、正極シートと負極シートを電極シートと総称する場合がある。
捲回型電池では、夫々の電極シートと端子の間の電気抵抗（電池の内部抵抗）は小さい方が好ましい。特許文献１に、電極シートと端子の間の電気抵抗を低減する技術が開示されている。
特許文献１に開示されている捲回型電池は、捲回体の端面に沿って径方向に拡がる中間集電体を備える。なお、中間集電体は端子の一部を形成している。中間集電体は、捲回体の端面で一方の電極シートと溶接されている。捲回体の端面は、電極シートの縁部が集まって形成されている。従って、電極シートは、その縁部がほぼ全長に亘って中間集電体と接触する。電極シートの縁部がほぼ全周に亘って中間集電体と接触することで、電極シートと中間集電体（即ち端子）の接触面積を大きくしている。これにより、電極シートと中間集電体（即ち端子）の間の電気抵抗の低減を図っている。
【０００３】
【特許文献１】特開平１１−１８５７２５号公報
【発明の開示】
【発明が解決しようとする課題】
【０００４】
前述した通り、電極シートと端子の間の電気抵抗は小さい方が好ましい。本発明は、捲回体の端面で電極シートと端子を接触させる従来の捲回型電池よりも電気抵抗をより一層低減した捲回型電池を提供するものである。
【課題を解決するための手段】
【０００５】
本発明の捲回型電池は、正極シートと負極シートとセパレータを積層して捲回した捲回体と、捲回体の一方の端部で捲回体の側面と端面に接触する端子を備える。捲回体の側面は端子によってかしめられており、捲回体の端面は端子に溶接されている。
上記の捲回型電池では、正極シートと負極シートのいずれか一方の電極シートと端子が、電極シートの縁部（即ち捲回体の端面）だけでなくその側面で接触する。そして電極シートと端子は、単に接しているだけでなく、かしめと溶接によって、相互に強固に連結される。電極シートと端子の接触面積を従来の捲回型電池よりも大きくするとともに、両者を強固に結び付けることによって、捲回体と端子の間の電気抵抗（電池の内部抵抗）を低減することができる。
なお、ここでいう「捲回体の端部」とは、捲回体の軸方向の端部を意味する。また、「捲回体の端部」とは、捲回体の軸方向の最外部である端面と、その端面に連続する捲回体側面のうち端面に近い部分を合わせた部分をいう。
【０００６】
本発明の捲回型電池は、さらに次の技術的特長を備えることが好ましい。正極シートと負極シートとセパレータは巻芯に捲回されている。正極シートと負極シートのいずれか一方の電極シートは、前記端部でセパレータと他方の電極シートより捲回体の軸方向に長く伸びている延長部を備えている。その延長部が端子と巻芯の間でかしめられている。
一方の電極シートが上記した延長部を有する場合、捲回体の一方の端部では、延長部のみが捲回体の径方向に重なっている。この延長部をかしめることで、重なった延長部を密着させることができる。重なった延長部を密着させるとともに、その延長部が形成する捲回体端部と端子の密着度を高めることができる。一方の電極シートの延長部と端子の間の電気抵抗を一層低減することができる。
さらに、端子と巻芯の間で延長部をかしめることによって、延長部（即ち捲回体）を端子と巻芯の間で強固に固定することができる。端子と巻芯と捲回体を相互にずれ難くすることができる。
【０００７】
正極シートと負極シートの表面には、活物質が塗布されていることが多い。本発明の捲回型電池は、延長部には活物質が塗布されていないことが好ましい。活物質が塗布されていない延長部をかしめることによって、捲回体を強固に固定することができる。
【０００８】
本発明の捲回型電池はさらに、巻芯の側面に窪みが設けられており、延長部が端子と窪みの間でかしめられていることが好ましい。これによって、捲回体を一層強固に固定することができる。
【０００９】
本発明の捲回型電池はさらに、電極シートの延長部に、捲回体の軸方向に伸びるスリットが設けられていることが好ましい。スリットを設けることによって、延長部をかしめたときに延長部が波打つことを防止できる。これによって、かしめられた延長部の直径を小さくすることができる。端子の捲回体の径方向のサイズ（即ち、捲回型電池の端部の直径）が大きくなることを防止できる。
【００１０】
捲回型電池では、捲回体は電解液に浸されることが多い。その場合、捲回されたセパレータは電解液に一様に浸されることが好ましい。そこで、本発明の捲回型電池は、正極シートと負極シートの少なくとも一方の電極シートに孔が設けられていることが好ましい。電極シートに孔を設けることによって、電解液を捲回体の径方向に沿って移動しやすくすることができる。電極シートに設けた孔によって、電解液を捲回体に一様に拡がらせることができる。別言すれば、捲回体内における電解液の局所的な乾きを防止することができる。
【００１１】
本発明の捲回型電池はさらに、巻芯の側面に孔が設けられていることが好ましい。特に、巻芯は中空状であり、その巻芯の側面に多数の孔が設けられていることが好ましい。巻芯の側面に設けられた孔によって、電解液を捲回体の軸方向に一様に拡がらせることができる。さらに捲芯を中空状に形成することによって、その中空部に電解液を蓄えることができる。中空部に蓄えられた電解液は、捲芯の側面に設けられた孔によって捲回体内へ拡散する。これによって、捲回体内で電解液が局所的に乾くことを防止できる。
【発明の効果】
【００１２】
本発明によれば、正極シートと負極シートとセパレータを積層して捲回した捲回体と端子の間の電気抵抗を低減した捲回型電池を実現できる。
【実施例】
【００１３】
＜第１実施例＞  本発明に係る第１実施例の捲回型電池について説明する。図１は、第１実施例の捲回型電池１００の模式的断面図である。捲回型電池１００は、ニッケル水素電池である。この電池は、充電と放電を繰り返すことができる。
捲回型電池１００は、捲回体１０、巻芯３０、正極端子４０、負極端子５０、絶縁樹脂部材６０、及びケース７０を備える。捲回体１０は、正極シート、第１セパレータ、負極シート、第２セパレータをこの順序で積層して巻芯３０に捲回したものである。捲回体１０の詳細な構造については後述する。
捲回体１０の一方の端部１０ａには、正極端子４０が固定されている。捲回体１０の正極端子４０側の端部を正極側端部１０ａと称する。正極端子４０は、正極側端部１０ａで捲回体１０の端面と側面に接している。後述するように、捲回体１０の端面は、正極端子４０に溶接されている。捲回体１０の側面は、正極端子４０によってかしめられている。捲回体１０の他方の端部１０ｂには、負極端子５０が固定されている。捲回体１０の負極端子５０側の端部を負極側端部１０ｂと称する。負極端子５０は、負極側端部１０ｂで捲回体１０の側面と端面に接している。正極端子４０と負極端子５０は共に導電性の物質（例えばアルミニウムを主成分とする金属あるいは銅を主成分とする金属）で形成されている。
捲回体１０は、円筒状のケース７０に収納されている。ケース７０は、一方の端部が閉じられており、他方の端部が開放している円筒状に形成されている。捲回体１０は、ケース７０の中で電解液（不図示）に浸されている。円筒状のケース７０は導電性の物質（例えばアルミニウム）で形成されている。
負極端子５０がケース７０の底面と接している。負極端子５０とケース７０はともに導電性の物質で形成されているので、ケース７０を介して負極端子と外部を電気的に接続することができる。
正極端子４０とケース７０の間は絶縁樹脂部材６０で封止されている。絶縁樹脂部材６０によって、ケース７０の内部に電解液が封止される。
正極端子４０はその一部が外部に露出している。正極端子４０と負極端子５０によって、捲回体１０が発生する電気を外部へ供給することができる。また、正極端子４０と負極端子５０によって、捲回体１０に蓄電するための電気を外部から供給することができる。
【００１４】
図２に、捲回体１０の断面図を示す。図２には、捲回体１０とともに、正極端子４０、負極端子５０、及び捲芯３０が図示されている。なお、図２には、捲芯３０の中心線から左半分の断面のみを示している。
捲回体１０は、正極シート１２、第１セパレータ１６、負極シート１４、及び第２セパレータ１８がこの順序で積層されて巻芯３０に捲回されて形成されている。なお、図２では、捲回体１０の外周付近と内周付近の一部のみ、正極シート１２等を図示しており、外周付近と内周付近の間は正極シート１２等の図示を省略している。図２において「・・・」は、正極シート１２等の図示を省略していることを表している。
正極シート１２の表面の一部には、活物質２０が塗布されている。負極シート１４の表面の一部には、活物質２２が塗布されている。活物質２０、２２には、例えば、Ni系酸化物のものや炭素系のものなどの物質が利用される。活物質２０と活物質２２は、同じ物質である場合もあれば、異なる物質である場合もある。
第１セパレータ１６と第２セパレータ１８は、例えばポリエチレンの多孔シートや、ポリエチレンの多孔シートの両面にポリプロピレンの多孔シートを形成した３層構造のシートなどが用いられる。第１セパレータ１６と第２セパレータ１８は、夫々その両側に位置する正極シート１２と負極シート１４を絶縁する役割を果たす。以下では、第１セパレータ１６と第２セパレータ１８を総称してセパレータ１６等と称する場合がある。
【００１５】
正極シート１２の捲回体１０の軸方向（図２の上下方向であり、捲芯３０の軸方向と換言することもできる）に沿った長さを正極シート１２の幅と称する。負極シート１４、セパレータ１６等についても同様に捲回体１０の軸方向に沿った長さを幅と称する。
正極シート１２、負極シート１４の幅は夫々Ｌ１、Ｌ２である。セパレータ１６等の幅はＬ４である。
正極シート１２と負極シート１４は、捲回体１０の軸方向に所定の距離だけ相互にずらして積層されている。別言すれば、正極シート１２と負極シート１４は、捲芯３０の径方向から見て長さＬ４だけオーバーラップするように積層されている。正極シート１２と負極シート１４がオーバーラップしているＬ４の長さの間で、セパレータ１６等が積層されている。換言すれば、正極シート１２は、捲回体１０の正極側端部１０ａ側で負極シート１４、第１セパレータ１６、及び第２セパレータ１８よりも捲回体１０の軸方向に長く伸びる部分を有している。この部分を正極シート１２の延長部１２ｂと称する。正極シート１２の延長部以外を正極シート１２の主部１２ａと称する。図２では、正極シート１２のうち、幅Ｌ４に相当する部分が主部１２ａであり、幅Ｌ３に相当する部分が延長部１２ｂである。
同様に、負極シート１４は、捲回体１０の負極側端部１０ｂ側で正極シート１２、セパレータ１６等よりも捲回体１０の軸方向に長く伸びる部分を有している。この部分を負極シート１４の延長部１４ｂと称する。負極シート１４の延長部以外を負極シート１４の主部１４ａと称する。図２では、負極シート１４のうち、幅Ｌ４に相当する部分が主部１４ａであり、幅Ｌ５に相当する部分が延長部１４ｂである。
図２に示す通り、正極シート１２の主部１２ａの表面に活物質２０が塗布されている。正極シート１２の延長部１２ｂには活物質が塗布されていない。負極シート１４の主部１４ａの表面に活物質２２が塗布されている。負極シート１４の延長部１４ｂには活物質が塗布されていない。
【００１６】
図２に示す通り、捲回されている正極シート１２の延長部１２ｂが、捲芯３０と正極端子４０の間で固定されている。より詳しくは、延長部１２ｂは、正極端子４０の外周部と捲芯３０の間で固定されている。捲回されている正極シート１２の延長部１２ｂは、正極端子４０によって、捲芯３０の径方向にかしめられて固定されている。
捲回体１０の正極側端部１０ａでは、正極シート１２の延長部１２ｂだけが捲回されている。従って、捲回体１０の正極側端部１０ａでは、積層された延長部１２ｂのみが正極端子４０の外周部と捲芯３０の間でかしめられている。
また、前述したように、正極端子４０は、捲回体１０の正極側端部１０ａの端面と接触している。捲回体１０の正極側端部１０ａの端面は、正極シート１２の正極端子４０側の縁部１２ｃが捲回されて形成している面である。即ち、正極端子４０は、捲回体１０の端面で正極シート１２の縁部１２ｃと接触するとともに、捲回体１０の端部１０ａの側面で正極シート１２の延長部１２ｂの表面と面接触する。
正極端子４０と捲回体１０の連結状態は、次のように表現できる。捲回体１０の正極側端部１０ａでは、正極シート１２のみが捲回されている（より詳しくは正極シート１２の延長部１２ｂのみが捲回されている）。正極端子４０は、捲回体１０の正極側端部１０ａの端面と側面で正極シート１２と接触している。この構造により、正極端子４０と正極シート１２の接触面積を大きくしている。これによって、捲回体１０の正極シート１２と正極端子４０の間の抵抗（捲回型電池１００の内部抵抗の一部）を低減することに成功している。また、捲回体１０を捲芯３０と正極端子４０の間でかしめ止めすることによって、捲回体１０、捲芯３０、及び正極端子４０を相互に強固に固定することができる。
なお、正極シート１２の縁部１２ｃと正極端子４０は溶接されている。また、かしめ止めは、通電かしめ法と呼ばれる方法で行われている。
正極シート１２の縁部１２ｃと正極端子４０が溶接されているとともに、正極シート１２の端部側面（延長部１２ｂの側面）が正極端子４０によってかしめられていることによって、正極シート１２と正極端子４０の間の電気抵抗を低減している。
また、延長部１２ｂには活物質が塗布されていないので、延長部１２ｂの表面同士を密着させてかしめることができる。これによっても、正極シート１２と正極端子４０の間の電気抵抗を低減している。さらに、活物質が塗布された延長部をかしめる場合よりも強固に延長部１２ｂをかしめ止めすることができる。
【００１７】
捲回体１０の負極側端部１０ｂでは、捲回体１０と負極端子５０が正極側端部１０ａと同様の構造で固定されている。捲回体１０の負極側端部１０ｂと負極端子５０の連結構造は次の様に表現することができる。
捲回体１０の負極側端部１０ｂでは、負極シート１４のみが捲回されている（より詳しくは負極シート１４の延長部１４ｂのみが捲回されている）。負極端子５０は、捲回体１０の負極側端部１０ｂの端面と側面で負極シート１４と接触している。なお、捲回体１０の負極側端部１０ｂの端面は、負極シート１４の負極端子５０側の縁部１４ｃが捲回されて形成している面である。この構造により、捲回型電池１００では、負極端子５０と負極シート１４の接触面積を大きくしている。これによって、捲回体１０の負極シート１４と負極端子５０の間の抵抗（捲回型電池１００の内部抵抗の一部）を低減することに成功している。
さらに、捲回体１０を正極端子４０と負極端子５０によって捲芯３０にかしめ止めすることによって、捲回体１０を捲芯３０に一層強固に固定することができる。
【００１８】
＜第２実施例＞  次に、本発明に係る第２実施例の捲回型電池について説明する。この実施例の捲回型電池は、正極シート、負極シート、及び捲芯が孔を備える点が第１実施例の捲回型電池と異なる。その他の部品は第１実施例の捲回型電池１００と同じである。従って、本実施例の捲回電池の模式的断面は図１に同じである。
図３に、本実施例の捲回型電池の捲回体１１０と捲芯１３０の断面図を示す。図３では、図２に示す部品と同じ部品の一部については符号を省略している。符号が省略された部品は、図２において対応する部品と同じ構造の部品である。
本実施例の捲回型電池では、正極シート１１２の主部１１２ａの両端付近に活物質２０の未塗布領域が形成されている。この未塗布領域は、幅Ｌ４の主部１１２ａのうち、幅Ｌ６と幅Ｌ７に相当する部分である。主部１１２ａの未塗布領域に複数の孔１１３が設けられている。複数の孔１１３は、捲回方向に沿って略等間隔に設けられている。複数の孔１１３は、捲回体１１０の径方向から見てセパレータ１６等に重なる位置に設けられている。
負極シート１１４の主部１１４ａの両端付近に活物質２２の未塗布領域が形成されている。この未塗布領域は、幅Ｌ４の主部１１４ａのうち、幅Ｌ６と幅Ｌ７に相当する部分である。主部１１４ａの未塗布領域に複数の孔１１５が設けられている。複数の孔１１５は、捲回方向に沿って略等間隔に設けられている。複数の孔１１５は、捲回体１１０の径方向から見てセパレータ１６等に重なる位置に設けられている。
また、捲芯１３０は中空の円柱形状であり、その側面に複数の孔１３１が設けられている。
【００１９】
捲回体１１０は、ケースの内部で電解液に浸されている。即ち、活物質２０、２２、及びセパレータ１６等は、電解液を含浸している。活物質２０、２２、セパレータ１６等の電解液が乾いてしまうと、電池の性能が低下してしまう。捲回型電池を使用すると、捲回型電池が発熱する。捲回型電池の内部では、発熱量に局所的なばらつきが生じる場合がある。そのため、電解液の蒸発等により電池の内部で電解液の密度の粗密が生じる。捲回体１１０の内部で局所的に電解液が乾いた領域が生じ得る。電解液が乾いた領域を生じると電池の性能が低下してしまう。孔１１３、１１５、及び１３１を設けることによって、電解液が捲回体１１０の径方向に移動しやすくなり、電解液が捲回体１１０の内部で一様に拡がり易くなる。これにより、捲回体１１０の内部で電解液が局所的に乾いてしまう可能性を低減できる。特に、正極シート１１２の孔１１３は、捲回体１１０の径方向から見てセパレータ１６等に重なる位置に設けられている。同様に、負極シート１１４の孔１１５は、捲回体１１０の径方向から見てセパレータ１６等に重なる位置に設けられている。これにより、孔１１３、又は１１５を通過した電解液は直ちにセパレータ１６等に接する。セパレータ１６等に接した電解液は、セパレータ１６等の毛細管現象によってセパレータ全体に拡がる。孔１１３、１１５を捲回体１１０の径方向から見てセパレータ１６等に重なる位置に設けることで、電解液を拡がり易くすることができる。
また、捲芯１３０を中空にすることで、電池の製造時に捲芯１３０の中空部に電解液を蓄えることができる。捲芯１３０の中空部に蓄えられた電解液は、孔１１３、１１５、及び１３１を通って捲回体１１０の全域に拡がることができる。これによっても捲回体１１０の内部で電解液が局所的に乾いてしまうことを防止できる。
捲回体１１０の正極側端部１１０ａの端面には正極端子４０が接しており、負極側端部１１０ｂの端面には負極端子５０が接している。従って、電解液は捲回体１１０の正極側端部１１０ａ或いは負極側端部１１０ｂでは径方向に移動することができない。しかしながら、電解液は孔１１３、１１５、及び１３１を通じて径方向に移動することが可能となる。捲回体１１０の夫々の端面に端子が接している捲回型電池では、孔１１３、１１５、及び１３１を設けることが特に有効である。
【００２０】
孔１１３、１１５、及び１３１の効果を検証する実験を行った。実験のために３種の試験体を用意した。３種の試験体は全て、18650と呼ばれる規格サイズ（直径18mm（最大径18.3mm程度)、長さ65mm）に作成した円筒型電池（捲回型電池）である。３種の試験体は全て、捲回体と端子が、捲回体の端部の端面と側面で接触している。捲回体の端部の端面と端子は溶接されている。捲回体の端部の側面は端子によってかしめられている。第１試験体は、正極シート、負極シート、及び捲芯のいずれにも孔を設けていない。第２試験体は、正極シートと負極シートの夫々に、4mm間隔で直径２mmの孔（図３の孔１１３と１１５に相当する孔）を設けた。第３試験体は、第２試験体と同様の孔を設けた上に、捲芯の表面にメッシュ状の多数の孔（図３の孔１３１に相当する孔）を設けた。夫々の試験体について、雰囲気温度６０℃にて１クーロンの充放電を１０００サイクル繰り返す試験を行った。１００サイクルごとの試験体の容量の変化を図４に示す。図４のグラフは、１００サイクルごとの試験体の容量を、初回の充放電後の容量を１００％としたときのパーセンテージで示している。
図４に示す通り、１０００サイクル後の容量は第１試験体が６６％であるのに対して、第２試験体と第３試験体は夫々７４％と７８％である。換言すれば、充放電を１０００サイクル繰り返すと第１試験体は容量が３４％低下するのに対して、第２試験体と第３試験体では夫々２６％と２２％の低下に抑えられている。正極シート、負極シートに孔を設けることで、さらに捲芯に孔を設けることで、捲回型電池の性能劣化を低減できることが実証された。
【００２１】
上記実施例の変形例を説明する。
第１の変形例を図５に基づいて説明する。図５は、第１変形例の捲回型電池の捲回体２１０の模式的な部分斜視図である。図５には、仮想線（２点鎖線）で正極端子４０を示してある。なお、図５では、捲回体２１０の最外層が正極シート２１２である。また、捲回体２１０の正極側端部２１０ａは、正極シート２１２の延長部２１２ｂのみが捲回されて形成されている。
この変形例では、捲回されている正極シート２１２の延長部２１２ｂに複数のスリット２１３が設けられている。夫々のスリット２１３は、捲回体２１０の軸方向に長く伸びている。スリット２１３の端部は延長部２１２ｂの縁部に達している。延長部２１２ｂに複数のスリット２１３を設けることによって、正極端子４０の外周部と捲芯３０の間で捲回体２１０をかしめ止めするときに延長部２１２ｂが波打つことを防止できる。即ち、かしめられた延長部２１２ｂの直径を小さくすることができる。これにより、正極端子４０の径方向のサイズ（即ち、捲回型電池の正極端子側の端部付近の直径）が大きくなることを防止できる。負極シートについても同様にその延長部にスリットを設けることが好ましい。
【００２２】
第２の変形例を図６に基づいて説明する。図６は、第２変形例の捲回型電池の捲回体３１０の模式的な部分断面図である。この変形例では、捲芯３３０の側面に窪み３３２が設けられている。捲回体３１０の正極側端部３１０ａ（正極側端部３１０ａは、正極シートの延長部で形成されている）が、正極端子３４０の外周部と窪み３３２の間でかしめられている。なお、正極端子３４０の外周部には、窪み３４２が設けられている。捲回体３１０の正極側端部３１０ａは、正極端子３４０の外周部の窪み３４２と捲芯３３０の窪み３３２の間でかしめられている。この構造によれば、捲回体３１０を一層強固に捲芯３３０へ固定することができる。
【００２３】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。
本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【図面の簡単な説明】
【００２４】
【図１】図１は、第１実施例に係る捲回型電池の模式的断面図である。
【図２】図２は、第１実施例に係る捲回型電池の捲回体の断面図である。
【図３】図３は、第２実施例に係る捲回型電池の捲回体の断面図である。
【図４】図４は、第２実施例に係る捲回型電池の効果を検証する実験の結果を示すグラフである。
【図５】図５は、第１変形例に係る捲回型電池の捲回体の模式的斜視図である。
【図６】図６は、第２変形例に係る捲回型電池の捲回体の模式的部分断面図である。
【符号の説明】
【００２５】
１０：捲回体
１２：正極シート
１４：負極シート
１６、１８：セパレータ
２０、２２：活物質
３０：捲芯
４０：正極端子
５０：負極端子
６０：絶縁樹脂部材
７０：ケース
１００：捲回型電池
【図１】
2008159530.tif 000003
【図２】
2008159530.tif 000004
【図３】
2008159530.tif 000005
【図４】
2008159530.tif 000006
【図５】
2008159530.tif 000007
【図６】
2008159530.tif 000008